(57)【要約】【課題】イカ釣りに使用するヤエンにあって、携行時における嵩張りを防止し、また、掛け針を配置させた部分を任意に取り替え得るようにすることを目的とする。【解決手段】支持体の後方側に道糸への掛け止め部を形成し、前方側に掛け針を配置させた構成のイカ釣り用のヤエンにあって、支持体に接合部を形成し、道糸への掛け止め部を形成した部分と、掛け針を配置させた部分とを分離し得るようにするとともに、接合部の係合により、両者を連結固定させ得るように構成したイカ釣り用ヤエン。【選択図】　　図１
2004049023.tif 000002
【特許請求の範囲】
【請求項１】
支持体２の後方側に道糸８への掛け止め部３を形成し、前方側に掛け針５を配置させた構成のイカ釣り用のヤエンにあって、支持体２に接合部４を形成し、道糸８への掛け止め部３を形成した部分２ａと、掛け針５を配置させた部分２ｂとを分離し得るようにするとともに、接合部４の係合により、道糸８への掛け止め部３を形成した部分２ａと、掛け針５を配置させた部分２ｂとを連結固定させ得るように構成したことを特徴とするイカ釣り用ヤエン。
【発明の詳細な説明】
【０００１】
【発明が属する技術分野】
この発明は、アジやイワシ等の生き餌を用いてイカ釣りを行なう際に使用するヤエンの改良に関するものである。
【０００２】
【従来の技術】
イカ釣りを行なう場合、餌木やイカヅノ等の擬餌を使用した釣りが行なわれる場合が多いのであるが、大型のアオリイカを狙うような場合には、アジ等の生き餌を使用したヤエン釣りが行なわれるのが普通である。
【０００３】
ヤエン釣りは、釣り竿から延ばした道糸の先端に生きたアジ等を結び付けた状態で投げ込み、イカがアジ等に乗った段階で、掛け針の付いたヤエンを道糸に沿って投入し、そのヤエンによってイカを釣りあげるという釣り方であり、従来一般的に使用されているヤエンは、長尺状のピアノ線の前方側に複数の掛け針を取り付けるとともに、後方側に道糸への掛け止め部を形成した構成となっているのが一般的である。
【０００４】
【発明が解決しようとする課題】
しかし、長尺状の線材の前方側に多数の掛け針を取り付け、また、その後方側に道糸への掛け止め部を形成した構成となっていた場合、全体が嵩張り、釣り用のバック等に入れて持ち運ぶには不便であるし、また、鋭い掛け針が他の釣り具等にまつわり付き、取り扱いが面倒であるとう欠点があるのである。
この発明は、従来のヤエンにみられたそのような欠点を除去するとともに、必要に応じて掛け針を取り付けた部分を自由に取り替え得るようにしようとするものである。
【０００５】
【課題を解決するための手段】
この発明は、アジ等の生き餌を使用してイカ釣りを行なう場合に使用するヤエンに関するものであって、支持体に接合部を形成し、道糸への掛け止め部を形成した部分と、複数の掛け針を配置させた部分とを分離し得るようにするとともに、接合部の嵌合により、道糸への掛け止め部を形成した部分と、掛け針を配置させた部分とを係合固定させ得るように構成し、それにより、嵩張りを防止し、また、必要に応じて、掛け針を取り付けた部分を任意に取り替え得るように形成した構成となっているのである。
【０００６】
【実施例】
図面にもとづいて、この発明の実施例を説明すると、ヤエン本体１は、図１乃至図６に示すとおり、支持体２を、道糸８への掛け止め部３を形成した部分２ａと、掛け針５を配置させた部分２ｂとをもって形成するとともに、両者を嵌合固定させ得る接合部４を形成し、接合部４の嵌合により、道糸８への掛け止め部３を形成した部分２ａと、掛け針５を配置させた部分２ｂとを連結固定させ得るように形成した構成となっているのである。
【０００７】
すなわち、道糸８への掛け止め部３を形成した部分２ａは、ピアノ線やステンレス線等の線材をもって形成されており、後方側に錘９を配置させるとともに、３本の立ち上がり部１０・・を形成し、後端部と中間部の立ち上がり部１０については、その上方部と下方部とを「Ｕ」字状に屈曲部させ、線材の端部が立ち上がり部１０に僅かに沿った形となるように形成するとともに、線端部を円錐状、あるいは、角取り加工を施した構成となっており、また、前方側の立ち上がり部１０については、その先端部を螺旋状に屈曲させることによって、道糸８への掛け止め部３を形成した構成となっているのである。これにより、後端部と中間部の掛止め部３については、立ち上がり部１０の下方から道糸８を沿わせて引き入れることにより、また、前方側の掛け止め部３については、螺旋に沿って道糸８を巻き入れることによって道糸８に係合させることができ、また、道糸から外す際には、螺旋に沿って逆巻きにするとともに、後端部と中間部の掛け止め部３については、道糸８を線材の接合部に導き、立ち上がり部１０に沿って引き出すという方法によって行なわれるのである。この場合、線端部が円錐状、あるいは角取り加工を施した構成となっているので、道糸８を傷つけることなく、ワンタッチ操作で外すことができる。
【０００８】
また、道糸８への掛け止め部３を形成した部分２ａは、その先端基部に、「ヘ」の字状の屈曲部１２を形成するとともに、先端部に、接合部４を構成する一方の部材であるキャップ１３が取り付けられた構成となっており、該キャップ１３の中心部には、角孔１４が形成された構成となっているのである。
【０００９】
なお、錘９の前方側に斜め状にして取り付けられた板材１１は、ヤエンを海中に投下する際の潜行板である。
【００１０】
掛け針５を配置させた部分２ｂは、ピアノ線やステンレス線等の線材を「コ」の字状に屈曲させることによって形成された平行状の線材部に、複数本の鈎の軸部を沿わせ、錨状になるようにして固定した構成となっており、また、手前側の線材部の中間部には、接合部４を構成する他方の部材である嵌合部材１５を取り付けた構成となっているのである。
【００１１】
すなわち、嵌合部材１５は、図３、図４に示すとおり、手前側に配置させたバー１８の中心部から、前方に向けて突出部１６を形成した形の「Ｔ」字状の成型物からなっており、突出部１６は、上記したキャップ１３の中心部に形成した角孔１４に挿入させ得る形に形成されており、また、突出部１６の上部には、先端からバー１８の後端に至る溝１７が形成されており、該溝１７に、支持体２を形成する線材を押し入れることにより、線材を挟持し得る構成となっており、インサート形成によって線材の中間部に取り付けた構成となっているのである。
【００１２】
従って、図４に示すように、掛け針５を配置させた部分２ｂに形成した突出部１６を、掛け止め部３を形成した部分２ａの先端の角孔１４に挿入した後、線材を溝１７内に押し入れることにより、道糸８への掛け止め部３を形成した部分２ａと、掛け針５を配置させた部分２ｂとを一体的に連結固定させることができるのである。
【００１３】
【発明の効果】
この発明にかかるヤエン本体１は、上記のような構成であって、道糸への掛け止め部を形成した部分と、掛け針を配置させた部分との接合、分離を必要に応じて行なうことができ、釣り場に携行する際の嵩張りや、鋭い掛け針が他の釣り具等にまつわり付くといったようなことを防止し得るし、また、釣り場の状況等により、異なった形態の掛け針を使用したいような場合や、掛け針の部分が損傷したような場合には、掛け針部を自由に取り替え得るという利点があるのである。
【図面の簡単な説明】
【図１】ヤエン本体の構成を示す全体斜視図である。
【図２】ヤエン本体を分離した状態を示す斜視図である。
【図３】接合部の構成を示す斜視図である。
【図４】結合部の嵌合状態を示す斜視図である。
【図５】道糸への掛け止め部の構成を示す斜視図である。
【図６】ヤエン本体の使用状態を示す側面図である。
【符号の説明】
１　　ヤエン本体
２　　支持体
２ａ　掛け止め部を形成した部分
２ｂ　掛け針を配置させた部分
３　　掛け止め部
４　　接合部
５　　掛け針
８　　道糸
【図１】
2004049023.tif 000003
【図２】
2004049023.tif 000004
【図３】
2004049023.tif 000005
【図４】
2004049023.tif 000006
【図５】
2004049023.tif 000007
【図６】
2004049023.tif 000008